(57)【要約】【課題】ブックマーク情報をインデックス管理情報で管理することにより、インデックス情報を参照するだけで、ユーザーが登録したブックマークを瞬時に表示して再生することを可能とする。【解決手段】記録媒体に記録した複数のデータファイルのインデックス情報（１ｌ，１ｍ，１ｎ）を該記録媒体に記録する際に、各データファイルの任意の位置情報（１ｒ，１ｖ，１ｘ）をインデックス情報に格納する。この位置情報に基づいて、ある階層のフォルダを選択した場合に、当該フォルダに格納されているデータファイルおよびデータファイルのブックマーク画像を高速に表示する。【選択図】　　　図１
2004005344.tif 000002
【特許請求の範囲】
【請求項１】
記録媒体に記録した複数のデータファイルのインデックス情報を該記録媒体に記録するためのインデックス管理方法であって、
各データファイルの任意の位置情報を前記インデックス情報に格納することを特徴とするインデックス管理方法。
【請求項２】
前記位置情報は、記録したデータファイルにおける再生開始時間からの時間情報であることを特徴とする請求項１記載のインデックス管理方法。
【請求項３】
前記位置情報は、記録したデータファイルにおけるデータの先頭からのデータ量であることを特徴とする請求項１記載のインデックス管理方法。
【請求項４】
前記インデックス情報がデータの先頭である場合に、前記位置情報を「０」とすることを特徴とする請求項１〜３のうちのいずれか１項記載のインデックス管理方法。
【請求項５】
前記インデックス情報は、仮想管理情報であることを特徴とする請求項１〜４のうちのいずれか１項記載のインデックス管理方法。
【請求項６】
位置情報に対応したデータファイルのデータを記録することを特徴とする請求項１〜４のうちのいずれか１項記載のインデックス管理方法。
【請求項７】
フォルダにより階層的に管理された複数のデータファイルのインデックス画像を表示する方法であって、
所定の階層に含まれるインデックス画像と、当該階層の少なくとも２つ下の階層に含まれるインデックス画像とを同時に表示することを特徴とするインデックス表示方法。
【請求項８】
前記インデックス画像は、データファイルの任意の位置に対応した画像であることを特徴とする請求項７記載のインデックス表示方法。
【請求項９】
当該階層の少なくとも２つ下の階層に含まれるインデックス画像の内の１つを選択することで、選択したインデックス画像が格納されている最下層のフォルダに移動し、そのフォルダに含まれるファイルおよびフォルダを表示することを特徴とする請求項７記載のインデックス表示方法。
【請求項１０】
フォルダにより階層的に管理された複数のデータファイルのインデックス画像を管理する方法であって、
所定の階層の少なくとも２つ下の階層に含まれるインデックス画像をフォルダに格納することを特徴とするインデックス管理方法。
【請求項１１】
データおよび該データを管理する管理情報を記録媒体に記録するためのデータ記録手段と、
記録したデータの管理情報、代表画像、属性情報であるインデックス情報、および前記インデックス情報を管理するインデックス管理情報を記録するためのインデックス記録手段と、
記録したデータのインデックス管理情報を表示するための表示手段と、
インデックス管理情報を参照し、記録したデータを再生するための再生手段と、
記録したデータの位置情報を取得するための位置情報取得手段と、
データの先頭からの位置情報をインデックス情報に記録するための位置情報記録手段とを含むことを特徴とする記録再生装置。
【請求項１２】
インデックス情報に記録した位置情報に対応するインデックスデータを出力することを特徴とする請求項１０記載の記録再生装置。
【請求項１３】
インデックス情報に記録した位置情報を参照し、該位置情報に対応する元データから出力を開始することを特徴とする請求項１０記載の記録再生装置。
【請求項１４】
複数のデータファイルのインデックス情報を記録するための記録媒体であって、
各データファイルの任意の位置情報をインデックス情報に記録したことを特徴とする記録媒体。
【請求項１５】
記録媒体に記録した複数のデータファイルのインデックス情報を該記録媒体に記録するためのインデックス管理方法であって、
データファイルの任意の位置情報をデータファイルと前記インデックス情報に格納することを特徴とするインデックス管理方法。
【請求項１６】
前記インデックス情報に記録したデータファイルの任意の位置情報は、データファイル内に記録したデータファイルの任意の位置情報と、同じデータファイルの位置情報であることを特徴とする請求項１５記載のインデックス管理方法。
【請求項１７】
前記インデックス情報の位置情報は、前記データファイルの位置情報と、独立した位置情報であることを特徴とする請求項１５記載のインデックス管理方法。
【請求項１８】
前記インデックス情報の位置情報は、再生を停止した位置情報であることを特徴とする請求項１５記載のインデックス管理方法。
【請求項１９】
追記型の記録媒体に記録した複数のデータファイルのインデックス情報を該記録媒体に記録するためのインデックス管理方法であって、
データファイルの任意の位置情報を前記インデックス情報に格納することを特徴とするインデックス管理方法。
【請求項２０】
前記インデックス情報に記録する各データファイルの任意の位置情報に対応したデータが各データファイルのデータ形式と異なることを特徴とする請求項１〜６、１５〜１９のうちいずれか１項記載のインデックス管理方法。
【発明の詳細な説明】
【０００１】
【発明の属する技術分野】
本発明は、動画像、静止画像、音声などのデジタルデータを、光磁気ディスク、光ディスク、ハードディスクなどの磁気ディスク、または半導体メモリなどの記録媒体に記録するとともに、記録したデジタルデータの代表画像などのインデックス画面を表示し、インデックス画面から記録したデータを再生するための技術に関し、詳しくは、当該技術を用いたインデックス管理方法、インデックス表示方法、記録再生装置、および記録媒体に関する。
【０００２】
【従来の技術】
近年、映像や音声などのデータを記録して再生する記録再生装置として、パーソナルコンピュータやＤＶＤレコーダー、デジタルカメラなどが普及している。これらの記録再生装置には、記録したデータの一覧画像を表示するためのインデックス画面が装備されており、記録媒体に記録したデータの代表画像を縮小した静止画として一覧表示している。インデックス画面は、記録されているデータを画面に一覧表示するものであり、このインデックス画面により、ユーザーは再生したいデータを瞬時に選択し、再生することが可能となる。
【０００３】
ところが、記録したデータの数が多くなると、インデックスの数も多くなり、全てのインデックスを表示画面内に表示することが困難となる。そのために、インデックス画面をスクロールすることや、ファイルを格納することが可能なフォルダを設け、インデックス画像を分類するなどの手法が取り入れられている。
【０００４】
また、従来の記録再生装置には、記録した映像などにおける任意の位置を登録することが可能なブックマーク機能がある。ブックマーク機能を用いて登録したブックマークは、インデックス画像と同じように、動画像のブックマーク位置の画像を表示し、その画像を選択することで、登録したブックマーク位置（または時間）から再生を開始することができる。
【０００５】
インデックス画面を表示するための情報は、インデックス管理情報に記録されており、インデックスを選択することにより、インデックス管理情報で管理されているインデックス情報を参照し、インデックス情報に記録されている代表画像を表示するようになっている。ブックマーク画面を表示するための情報は、データ管理情報に格納されているブックマーク情報を参照して得ることができ、ブックマーク情報に記録されている代表画像を表示するようになっている。
【０００６】
以下、図１０を参照して、従来のインデックスファイルの構造を説明する。
図１０は、記録媒体に記録されている従来のデータ構造を示す模式図である。記録媒体に記録されている従来のデータ構造は、図１０に示すように、論理管理情報１０ａとデータ領域１０ｂにより構成されている。
【０００７】
論理管理情報１０ａは、ＦＡＴ（Ｆｉｌｅ　Ａｌｌｏｃａｔｉｏｎ　Ｔａｂｌｅ）やＵＤＦ（Ｕｎｉｖｅｒｓａｌ　Ｄｉｓｋ　Ｆｏｒｍａｔ）などのファイルシステムにより管理されている管理情報であり、データ領域１０ｂに記録されているファイルを参照するための情報が格納されている。データ領域１０ｂは、論理管理情報１０ａにより管理されているファイルが記録される領域である。
データ領域１０ｂには、ファイル＃１（１０ｂ１）、ファイル＃２（１０ｂ２）、ファイル＃３（１０ｂ３）、およびファイル＃ｎ（１０ｂ４）までの複数のファイルが記録されている。
【０００８】
ファイル＃１（１０ｂ１）は、記録したデータファイルを参照するためのインデックスファイル１０ｃが記録されている。ファイル＃２（１０ｂ２）には、データ＃１管理情報１０ｄと、動画、静止画、音声、テキストなどのデータ＃１（１０ｅ）が記録されている。ファイル＃２（１０ｂ２）には、データ＃２管理情報１０ｆと、動画、静止画、音声、テキストなどのデータ＃２（１０ｇ）が記録されている。ファイル＃ｎ（１０ｂ４）には、データ＃ｎ管理情報１０ｈと、動画、静止画、音声、テキストなどのデータ＃ｎ（１０ｉ）が記録されている。空き領域１０ｊは、何も記録されていない領域である。インデックスファイル１０ｃは、インデックスファイル１０ｃ内のインデックス情報を参照するためのインデックス管理情報１０ｋと、複数のインデックス情報＃１（１０ｌ）、インデックス情報＃２（１０ｍ）、インデックス情報＃ｎ（１０ｎ）が記録されている。
【０００９】
インデックス情報＃２（１０ｍ）は、ファイル名やファイルの属性情報を格納するためのヘッダ情報１０ｏと、データ＃２（１０ｇ）の代表データである代表画像（サムネイル１０ｍ１）またはタイトル１０ｍ２、またはイントロ１０ｍ３により構成されている。この代表データは、記録されたデータが画像の場合にはその代表画像を含んだ管理情報であり、記録された画像が音声の場合にはそのイントロ音声を含んだ管理情報である。記録されたデータがＡＶストリームの場合は代表画像とイントロ音声の両方を含んでいてもよい。また、代表データは、記録されたファイルの日時や名前などのタイトルを記録するためのテキストデータを含んだ管理情報の場合もある。
【００１０】
動画、静止画、音声などのデータは、データを再生するための管理情報であるデータ管理情報とともにデータファイルに記録される。データ＃２管理情報１０ｆには、データ管理情報に記録される管理情報を参照するためのヘッダ情報１０ｔ、ブックマーク画像情報のデータの種類やデータ作成日時などの属性情報１０ｕ、およびブックマーク位置情報とブックマーク画像が、指定したブックマーク毎に格納される。
【００１１】
ブックマーク＃１位置情報１０ｖには、データ＃２（１０ｇ）内のブックマーク＃１位置１０ｚ１に相当する位置情報が格納される。この位置情報は、データ＃２（１０ｇ）の先頭からのオフセットバイト数、またはデータ＃２（１０ｇ）を原点とした再生時間として格納される。ブックマーク＃１画像１０ｗは、ブックマーク＃１位置情報１０ｖに格納されている位置情報に相当するデータ＃２（１０ｇ）における１フレーム分の画像データが縮小画像として格納される。同様に、ブックマーク＃２位置情報１０ｘには、データ＃２（１０ｇ）内のブックマーク＃２位置１０ｚ２に相当する位置情報が格納される。位置情報は、データ＃２（１０ｇ）の先頭からのオフセットバイト数、またはデータ＃２（１０ｇ）を原点とした再生時間として格納される。ブックマーク＃２画像１０ｙは、ブックマーク＃１位置情報１０ｘに格納されている位置情報に相当するデータ＃２（１０ｇ）の１フレーム分の画像データが縮小画像として格納される。
【００１２】
次に、図１１、図１２および図４を参照して、従来のインデックス画面によるインデックスの選択を説明する。
図１１（１）および図１１（２）は、従来のインデックス画面の模式図であり、図４に示すインデックスファイル内のディレクトリ構造に示すフォルダは表示しないで、ファイルの代表画像、およびブックマークの代表画像を表示している。
図４に示すインデックスファイル内のディレクトリ構造は、ルートフォルダ４ａの下層に、動物フォルダ４ｂ、子供フォルダ４ｃ、および音楽フォルダ４ｄを格納する構成となっている。
【００１３】
動物フォルダの下層には、動物１ファイル４ｅ、動物２ファイル４ｆ、および動物３ファイル４ｇが格納されている。さらに、動物１ファイル４ｅの下層には、ブックマーク１（ｂｋｍｋ１）４ｐ、ブックマーク２（ｂｋｍｋ２）４ｑが、登録されている。また、動物３ファイル４ｇの下層には、ブックマーク１（ｂｋｍｋ１）４ｒが登録されている。
【００１４】
子供フォルダ４ｃの下層には、子供１ファイル４ｈ、子供２ファイル４ｉ、子供３ファイル４ｊ、および静止画１ファイル４ｋが格納されている。さらに、子供２ファイル４ｉの下層には、ブックマーク１（ｂｋｍｋ１）４ｓが、登録されている。音楽フォルダ４ｄの下層には、ＰＯＰＳフォルダ４ｌ、音楽のみフォルダ４ｍが格納されている。
【００１５】
音楽のみフォルダ４ｍの下層には、音楽ファイル４ｏが格納されており、ＰＯＰＳフォルダ４ｌの下層には、音楽ビデオファイル４ｎが格納されており、さらに、音楽ビデオファイル４ｎの下層には、ブックマーク１（ｂｋｍｋ１）４ｔが、登録されている。
【００１６】
図１１（１）において、インデックス表示ウインドウ１１Ａはインデックスを表示するための画面であり、動物１ファイル１１ｅ、動物２ファイル１１ｆ、動物３ファイル１１ｇ、子供１ファイル１１ｈ、子供２ファイル１１ｉ、音楽１ファイル１１ｎ、静止画１ファイル１１ｋ、子供３ファイル１１ｊ、および音楽２ファイル１１ｏが表示されている。
ボタン１１Ｃ、ボタン１１Ｄは、フォルダやファイルの数が多くなった場合にスクロールを行うためのボタンであり、ブックマーク表示ウインドウ１１Ｂは、ブックマークを表示するための画面であり、ボタン１１Ｅ、ボタン１１Ｆは、ブックマークの数が多くなった場合にスクロールを行うためのボタンである。
【００１７】
図１１（２）は、図１１（１）に示す動物１ファイル１１ｅを選択した場合の画面を示すもので、動物１ファイル１１ｅの位置を示す画像を縮小した代表画像がブックマーク表示ウインドウ１１Ｂに、ブックマーク１１ｐ、ブックマーク１１ｑとして表示される。
【００１８】
また、図１２（１）および図１２（２）は、従来のインデックス画像の模式図であり、図４に示すインデックスファイル内のディレクトリ構造に示すフォルダ、ファイルの代表画像、およびブックマークの代表画像を表示している。
図１２（１）において、インデックス表示ウインドウ１１Ａはインデックスを表示するための画面であり、動物フォルダ１２ｂ、子供フォルダ１２ｃ、音楽フォルダ１２ｄが表示されている。
図１２（２）は、図１２（１）に示す動物フォルダ１２ｂを選択した場合の画面を示すもので、動物１ファイル１２ｅ、動物２ファイル１２ｆ、動物３ファイル１２ｇがインデックス表示ウインドウ１１Ａに表示され、初期選択が動物１ファイル１２ｅである場合に、既に登録している動物１ファイルの任意の位置をブックマーク表示ウインドウ１１Ｂに動物１ｂｋｍｋ１（１２ｐ）、動物１ｂｋｍｋ２（１２ｑ）が表示される。
【００１９】
【発明が解決しようとする課題】
しかしながら、上述した従来の技術において、データファイルはフォルダに格納されているため、最下層のフォルダを選択しなければ代表画像をインデックス表示ウインドウ１１Ａに表示することができなかった。例えば、図４において、音楽ビデオファイル４ｎをインデックス表示ウインドウ１１Ａに表示させるためには、音楽フォルダ４ｄを選択し、さらにＰＯＰＳフォルダ４ｌを選択する必要がある。
【００２０】
ブックマーク画像はデータファイル内の管理情報として格納されており、階層構造となっているファイルの下層に存在するデータと位置付けられる。したがって、階層構造に格納されているファイルと同様にブックマーク画像を表示するためには、フォルダを選択してゆき、最下層のファイルを選択しなければ、ブックマーク画像を表示することができなかった。例えば、図４において、ｂｋｍｋ１（４ｐ）を表示させるには、動物フォルダ４ｂを選択し、さらに動物１ファイル４ｅを選択しなければならない。
このような操作は、ユーザーが行わなければならず、必要とするファイルの代表画像であるインデックス画像を表示するための操作が煩雑となってしまう。
【００２１】
また、ブックマークの画像は、各データファイルの管理情報として格納されており、インデックスファイルとは別のファイルに記録されている。このため、ブックマークの画像を取得する操作手順が複雑となり、ブックマーク画像を取得するのに時間を要するという問題も発生する。例えば、図１０において、ブックマーク画像を取得するためには、インデックスファイル１０ｃを取得し、インデックス管理情報１０ｋの情報に基づいて、いかなるインデックス情報かを検索する。さらに、インデックス情報＃２（１０ｍ）を取得し、その情報からファイル＃３（１０ｂ３）に格納されているデータ＃２管理情報１０ｆを取得し、ヘッダ情報１０ｔおよび属性情報１０ｕからブックマーク＃１画像１０ｗまたはブックマーク＃２画像１０ｙを取得する。
このような操作は、各ブックマークを表示するたびに必要となる。また、ブックマーク位置から再生する場合であっても、同様の処理ステップによりブックマーク位置情報を取得して再生しなければならない。
【００２２】
本発明は、上述した事情に鑑みてなされたものであり、ブックマーク情報をインデックス管理情報で管理することにより、インデックス情報を参照するだけで、ユーザーが登録したブックマークを瞬時に表示して再生することが可能なインデックス管理方法、インデックス表示方法、記録再生装置、および記録媒体を提供することを目的とする。
【００２３】
なお、特開２００１−２１８１５８号公報には、動画像シーンの位置をインデックス表示する技術が開示されている。しかしながら、当該公報に記載された技術は、所望のシーンを探しやすいようにすることを目的として、録画開始時間とサムネイル記録時間を表示したり、その差分時間の関係に基づいて所望のシーンを探し出す方法であり、本発明のように、フォルダによる分類を用いて上述した課題を解決するものではない。
【００２４】
【課題を解決するための手段】
本発明に係るインデックス管理方法は、記録媒体に記録した複数のデータファイルのインデックス情報を該記録媒体に記録するためのインデックス管理方法であって、各データファイルの任意の位置情報を前記インデックス情報に格納することを特徴とするものである。
【００２５】
ここで、前記位置情報は、記録したデータファイルにおける再生開始時間からの時間情報とする。前記位置情報は、記録したデータファイルにおけるデータの先頭からのデータ量とする。また、前記インデックス情報がデータの先頭である場合に、前記位置情報を「０」とする。また、前記インデックス情報は、仮想管理情報とする。また、位置情報に対応したデータファイルのデータを記録する。
【００２６】
本発明に係るインデックス表示方法は、フォルダにより階層的に管理された複数のデータファイルのインデックス画像を表示する方法であって、所定の階層に含まれるインデックス画像と、当該階層の少なくとも２つ下の階層に含まれるインデックス画像とを同時に表示することを特徴とするものである。
ここで、前記インデックス画像は、データファイルの任意の位置に対応した画像とする。
【００２７】
本発明に係るインデックス管理方法は、フォルダにより階層的に管理された複数のデータファイルのインデックス画像を管理する方法であって、所定の階層の少なくとも２つ下の階層に含まれるインデックス画像をフォルダに格納することを特徴とするものである。
【００２８】
本発明に係る記録再生装置は、データおよび該データを管理する管理情報を記録媒体に記録するためのデータ記録手段と、記録したデータの管理情報、代表画像、属性情報であるインデックス情報、および前記インデックス情報を管理するインデックス管理情報を記録するためのインデックス記録手段と、記録したデータのインデックス管理情報を表示するための表示手段と、インデックス管理情報を参照し、記録したデータを再生するための再生手段と、記録したデータの位置情報を取得するための位置情報取得手段と、データの先頭からの位置情報をインデックス情報に記録するための位置情報記録手段とを含むことを特徴とするものである。
【００２９】
ここで、インデックス情報に記録した位置情報に対応するデータを出力することが可能である。また、インデックス情報に記録した位置情報を参照し、該位置情報に対応するデータから出力することが可能である。
【００３０】
本発明に係る記録媒体は、複数のデータファイルのインデックス情報を記録するための記録媒体であって、各データファイルの任意の位置情報をインデックス情報に記録したことを特徴とするものである。
【００３１】
本発明に係るインデックス管理方法は、記録媒体に記録した複数のデータファイルのインデックス情報を該記録媒体に記録するためのインデックス管理方法であって、データファイルの任意の位置情報をデータファイルと前記インデックス情報に格納することを特徴とするものである。
【００３２】
ここで、前記インデックス情報に記録したデータファイルの任意の位置情報は、データファイル内に記録したデータファイルの任意の位置情報と、同じデータファイルの位置情報とする。また、前記インデックス情報の位置情報は、前記データファイルの位置情報と、独立した位置情報とする。また、前記インデックス情報の位置情報は、再生を停止した位置情報とする。
【００３３】
本発明に係るインデックス管理方法は、追記型の記録媒体に記録した複数のデータファイルのインデックス情報を該記録媒体に記録するためのインデックス管理方法であって、データファイルの任意の位置情報を前記インデックス情報に格納することを特徴とするものである。
【００３４】
本発明に係るインデックス管理方法は、前記インデックス情報に記録する各データファイルの任意の位置情報に対応したデータが各データファイルのデータ形式と異なることを特徴とするものである。
【００３５】
本発明に係るインデックス管理方法、インデックス表示方法、記録再生装置、および記録媒体は、上述した構成を備えているため、ブックマーク情報をインデックス情報としてインデックス管理情報に記録することが可能となり、インデックス管理情報を参照するだけで所望のブックマーク表示を実現することができる。また、最下層のフォルダやファイルなどを選択することなく、取得したいインデックス画像およびブックマーク画像を瞬時に表示することができる。
【００３６】
以下、図２および図３を参照して、本発明に係るインデックス管理方法、インデックス表示方法、記録再生装置、および記録媒体の具体的な構成の概略を説明する。
図２（１）および図２（２）は、本発明を適用した場合のインデックス画面の表示例を示す模式図である。
【００３７】
図２（１）および図２（２）において、インデックス表示ウインドウ２Ａには、動物フォルダ２ｂ、子供フォルダ２ｃ、および音楽フォルダ２ｄが表示されている。ボタン２Ｃ、ボタン２Ｄは、フォルダやファイルの数が多くなった場合にスクロールを行うためのボタンであり、ボタン２Ｅ、ボタン２Ｆは、ブックマークの数が多くなった場合にスクロールを行うためのボタンである。
動物フォルダ２ｂを選択すると、ブックマーク表示ウインドウ２Ｂには、動物ファイルに格納されている動物１ファイル２ｅ、動物２ファイル２ｆ、および動物３ファイル２ｇの各ファイルのブックマーク画像である動物１ｂｋｍｋ１ブックマーク２ｐ、動物１ｂｋｍｋ２ブックマーク２ｑ、および動物３ｂｋｍｋ１ブックマーク２ｒが表示される。
【００３８】
図２（２）は、動物フォルダ２ｂを選択し、その下の階層のファイルを表示した画面を示すものであり、動物１ファイル２ｅ、動物２ファイル２ｆ、および動物３ファイル２ｇのインデックス画像が表示されている。ここで、動物１ファイル２ｅを選択すると、ブックマーク表示ウィンドウには、動物１ファイル２ｅにのみ登録されている動物１ｂｋｍｋ１ブックマーク２ｐ、動物１ｂｋｍｋ２ブックマーク２ｑが表示される。
また、ブックマークであるインデックス情報は、従来のインデックス情報と同じようにフォルダに登録することができるため、ブックマーク一覧フォルダや、ユーザーが所望するブックマークをフォルダに格納することが可能となる。
【００３９】
図３は、その表示例である。図３のブックマークフォルダ３ｘを選択すると、全てのフォルダに格納しているファイルのブックマーク画像を表示することができる。
【００４０】
【発明の実施の形態】
以下、図面を参照して、本発明に係るインデックス管理方法、インデックス表示方法、記録再生装置、および記録媒体の実施形態を詳細に説明する。
【００４１】
図１は、記録媒体に記録されているデータ構造を示す模式図である。
記録媒体に記録されているデータ構造は、図１に示すように、論理管理情報１ａとデータ領域１ｂにより構成されている。
【００４２】
論理管理情報１ａは、ＦＡＴ（Ｆｉｌｅ　Ａｌｌｏｃａｔｉｏｎ　Ｔａｂｌｅ）やＵＤＦ（Ｕｎｉｖｅｒｓａｌ　Ｄｉｓｋ　Ｆｏｒｍａｔ）などのファイルシステムにより管理されている管理情報であり、データ領域１ｂに記録されているファイルを参照するための情報が格納されている。データ領域１ｂは、論理管理情報１ａにより管理されているファイルが記録される領域である。
データ領域１ｂには、ファイル＃１（１ｂ１）、ファイル＃２（１ｂ２）、ファイル＃３（１ｂ３）、およびファイル＃ｎ（１ｂ４）までのファイルが記録されている。
【００４３】
ファイル＃１（１ｂ１）は、記録されているデータファイルを参照するインデックスファイル１ｃである。ファイル＃２（１ｂ２）には、データ＃１管理情報１ｄと、動画、静止画、音声、テキストなどのデータ＃１（１ｅ）が記録されている。ファイル＃２（１ｂ２）には、データ＃２管理情報１ｆと、動画、静止画、音声、テキストなどのデータ＃２（１ｇ）が記録されている。ファイル＃ｎ（１ｂ４）には、データ＃ｎ管理情報１ｈと、動画、静止画、音声、テキストなどのデータ＃ｎ（１ｉ）が記録されている。空き領域１ｊは、何も記録されていない領域である。インデックスファイル１ｃは、インデックスファイル１ｃ内のインデックス情報を参照するためのインデックス管理情報１ｋと、複数のインデックス情報＃１（１ｌ）、インデックス情報＃２（１ｍ）、およびインデックス情報＃ｎ（１ｎ）が記録されている。
【００４４】
インデックス情報＃１（１ｌ）は、ファイル名やファイルの属性情報を格納するためのヘッダ情報１ｏと、データ＃１（１ｅ）の代表データである代表画像＃１（１ｐ）により構成されている。この代表データは、記録されたデータが画像の場合にはその代表画像を含んだ管理情報であり、記録された画像が音声の場合にはそのイントロ音声を含んだ管理情報である、また、代表データは、記録されたファイルの日時や名前などのタイトルを記録するテキストデータを含んだ管理情報の場合もある。
【００４５】
インデックス情報＃２（１ｍ）には、ヘッダ情報１ｑ、ブックマーク＃１位置情報１ｒ、およびブックマーク＃１画像１ｓが、ブックマークを指定した時に格納される。動画、静止画、音声などのデータは、データを再生するための管理情報であるデータ管理情報とともにデータファイルに記録される。
【００４６】
データ＃２管理情報１ｆには、データ管理情報に記録される管理情報を参照するためのヘッダ情報１ｔ、ブックマーク画像情報のデータの種類やデータ作成日時などの属性情報１ｕ、ブックマーク位置情報およびブックマーク画像が、指定したブックマーク毎に格納される。
【００４７】
ブックマーク＃１位置情報１ｖは、データ＃２（１ｇ）内のブックマーク＃１位置１ｚ１に相当する位置情報が格納される。位置情報は、データ＃２（１ｇ）の先頭からのオフセットバイト数、またはデータ＃２（１ｇ）を原点とした再生時間が格納される。ブックマーク＃１画像１ｗは、ブックマーク＃１位置情報１ｖに格納されている位置情報に相当するデータ＃２（１ｇ）の１フレーム分の画像データが縮小画像として格納される。同様に、ブックマーク＃２位置情報１ｘは、データ＃２（１ｇ）内のブックマーク＃２位置１ｚ２に相当する位置情報が格納される。位置情報は、データ＃２（１ｇ）の先頭からのオフセットバイト数、またはデータ＃２（１ｇ）を原点とした再生時間が格納される。ブックマーク＃２画像１ｙは、ブックマーク＃２位置情報１ｘに格納されている位置情報に相当するデータ＃２（１ｇ）の１フレーム分の画像データが縮小画像として格納される。
【００４８】
ブックマーク＃１位置情報１ｒは、データファイル内のデータ＃２（１ｇ）のブックマーク位置１ｚ１であり、データ＃２の先頭からのオフセットバイト数、または再生した場合の再生時間を記録する。
【００４９】
図１３は、データファイルに記録したブックマーク情報の中から特定のブックマーク情報をインデックスファイルに格納する場合の管理情報の構成を示している。
【００５０】
インデックスファイルは図１３に示すようにｍｏｏｖ情報１３ａとｍｄａｔ情報１３ｂにより構成されている。このデータ構造は、ＱｕｉｃｋＴｉｍｅファイルフォーマットを例とした場合のデータ構造を例としている。ｍｏｏｖ情報１３ａは、データを管理するための管理情報を格納する領域であり、ｍｄａｔ情報１３ｂは、実際のデータが記録される領域である。
【００５１】
ｍｄａｔ情報１３ｂには、ｍｄａｔ情報に記録されている全データのサイズを管理するためのヘッダ情報１３ｃと複数のインデックスを管理するためのＩｎｄｅｘ　Ｔａｂｌｅ情報１３ｄと、インデックスに対応したサムネイル画像のデータにより構成されている。データにはサムネイル画像の他にタイトルやイントロデータが各インデックス情報ごとに格納している構成でもよい。
【００５２】
Ｉｎｄｅｘ　Ｔａｂｌｅ情報１３ｄには、撮影したムービーファイルの代表画像を管理するＩｎｄｅｘ＃１（１３ｋ）、Ｉｎｄｅｘ＃２（１３ｌ）のように複数の代表画像用インデックス情報がＩｎｄｅｘ＃ｎ（１３ｍ）まで記録されている。また、撮影したムービーファイルの任意の位置情報を管理するｂｏｏｋｍａｒｋ　ｉｎｄｅｘ＃１（１３ｎ）、ｂｏｏｋｍａｒｋ　ｉｎｄｅｘ＃２（１３ｏ）のように複数のブックマーク用インデックス情報がｂｏｏｋｍａｒｋ　ｉｎｄｅｘ＃ｎ（１３ｐ）まで記録されている。このほかに、複数のインデックス情報をまとめて管理するためのＦｏｌｄｅｒ　ｉｎｄｅｘ＃１（１３ｑ）、Ｆｏｌｄｅｒ　ｉｎｄｅｘ＃２（１３ｒ）が記録されている。
【００５３】
次に、各インデックス情報に対応した画像データが必要に応じて記録され、図１３ではＩｎｄｅｘ＃１（１３ｋ）のサムネイルデータがＩｎｄｅｘ＃１画像１３ｅ、Ｉｎｄｅｘ＃２（１３ｌ）のサムネイルデータがＩｎｄｅｘ＃２画像１３ｆとしてＩｎｄｅｘ＃ｎ画像１３ｇまで記録されている。次に、ｂｏｏｋｍａｒｋ　ｉｎｄｅｘ＃１（１３ｎ）のサムネイルデータがｂｏｏｋｍａｒｋ　ｉｎｄｅｘ＃１画像１３ｈ、ｂｏｏｋｍａｒｋ　ｉｎｄｅｘ＃２（１３ｏ）のサムネイルデータがｂｏｏｋｍａｒｋ　ｉｎｄｅｘ＃２画像１３ｉとしてｂｏｏｋｍａｒｋ　ｉｎｄｅｘ＃ｎ画像１３ｊまで記録されている。
【００５４】
ここではＩｎｄｅｘ　Ｔａｂｌｅ情報が各サムネイル画像の前に記録されているが、Ｉｎｄｅｘ　Ｔａｂｌｅ情報をファイルの最後に格納する構成としてもよい。また、ｍｏｏｖ情報はｍｄａｔデータの前に記録されているが、ｍｄａｔデータの次にｍｏｏｖ情報を格納する構成としてもよい。
また、図１３ではＦｏｌｄｅｒ　ｉｎｄｅｘに対応する画像データが存在しないが、Ｉｎｄｅｘやｂｏｏｋｍａｒｋ　ｉｎｄｅｘと同様に対応する画像を格納する構成としてもよい。
【００５５】
ｍｄａｔ１３ｂの先頭には、ヘッダ情報管理情報の表１３ｓに示すように、ｍｄａｔ情報であることを表すヘッダ識別子とｍｄａｔデータのデータ量を把握するためのｍｄａｔのサイズが記録される。
【００５６】
Ｉｎｄｅｘ　Ｔａｂｌｅ情報１３ｄは、Ｉｎｄｅｘ　Ｔａｂｌｅ情報管理情報の表１３ｔに示すように、インデックス情報の数と撮影したムービーファイルのインデックス情報であるＩｎｄｅｘ＃１、Ｉｎｄｅｘ＃２がＩｎｄｅｘ＃ｎまで、ユーザーにより登録したムービーファイルの任意の位置に対応したサムネイルを格納するブックマーク情報であるｂｏｏｋｍａｒｋ　ｉｎｄｅｘ＃１、ｂｏｏｋｍａｒｋ　ｉｎｄｅｘ＃２がｂｏｏｋｍａｒｋ　ｉｎｄｅｘ＃ｎまで、登録した複数のインデックス情報を別に管理するためのＦｏｌｄｅｒ　ｉｎｄｅｘ＃１、Ｆｏｌｄｅｒ　Ｉｎｄｅｘ＃２が記録される。
【００５７】
撮影したムービーファイルのインデックス情報とユーザーにより登録したムービーファイルの任意の位置に対応したサムネイルを格納するブックマーク情報は、Ｉｎｄｅｘ情報の管理情報の表１３ｕに示す管理情報が記録される。Ｉｎｄｅｘ　ｔｙｐｅはＩｎｄｅｘ情報のタイプを示す管理情報であり、Ｉｎｄｅｘ　ｔｙｐｅ情報の内容表１３ｘに示すようにＦｉｌｅ、ｂｏｏｋｍａｒｋ、ｒｅｓｕｍｅ、Ｌａｓｔ　Ｐｌａｙｂａｃｋ　Ｃｏｎｔｅｎｔｓ、Ｌａｓｔ　Ｃｒｅａｔｅ　ｂｏｏｋｍａｒｋの種類のいずれか１つが記録される。Ｉｎｄｅｘ　ｎｕｍｂｅｒは、各インデックス情報をユニークに管理するための管理情報であり、記録媒体でユニークな数値が記録される。Ｆｉｌｅｎａｍｅはインデックスとして登録したムービーファイルのファイル名をテキストデータとして記録する。Ｆｉｌｅｎａｍｅは各ファイル名をユニークな値に変換してもよい。ｄａｔａ　ｓｉｚｅはインデックス情報に対応して格納するデータのデータサイズであり、データがサムネイルの場合は画像データのデータサイズに相当する。対応するデータが固定サイズとして記録される場合は、このｄａｔａ　ｓｉｚｅはなくてもよい。ｄａｔａ　ｄｕｒａｔｉｏｎはデータの再生時間を示す管理情報である。データが動画サムネイルやイントロデータなどのように再生時間長が必要なデータを記録する場合に、そのデータを再生する再生時間を示す情報である。Ｏｆｆｓｅｔ−ｔｉｍｅはムービーデータの任意の位置情報を示す管理情報であり、Ｉｎｄｅｘ　ｔｙｐｅがｂｏｏｋｍａｒｋの場合にはムービーファイルの先頭から指定したブックマーク位置までの時間情報を記録する。Ｉｎｄｅｘ　ｔｙｐｅがＦｉｌｅの場合には、Ｏｆｆｓｅｔ−ｔｉｍｅはムービーファイルの先頭の場合とユーザーが任意に指定したムービーファイルの位置情報のいずれかが記録することができる。ムービーファイルの先頭の場合、Ｏｆｆｓｅｔ−ｔｉｍｅには数値０が記録される。Ｉｎｄｅｘ　ｔｙｐｅがｒｅｓｕｍｅの場合には、Ｏｆｆｓｅｔ−ｔｉｍｅは、再生を途中で停止した場合の位置情報を記録する。位置情報に対応したムービーファイルのサムネイルを記録する場合は、このＯｆｆｓｅｔ−ｔｉｍｅの位置情報に対応したサムネイルを記録してもよい。再生途中のファイルを再生停止した位置から再び再生開始する場合には、このＯｆｆｓｅｔ−ｔｉｍｅを使用することができる。この場合、ムービーファイルを参照しＯｆｆｓｅｔ−ｔｉｍｅに対応した位置を検索し再生を開始する。また、インデックス情報として動画サムネイル情報を持つ場合には、インデックスファイルに格納されている動画サムネイルを参照しＯｆｆｓｅｔ−ｔｉｍｅに対応した位置を検索し再生を開始する。再生はインデックス画面の中で１つのインデックスが縮小画像のまま再生したり、全画面を再生したりすることもできる。これにより、再度再生指示が発生した場合に再生を停止した位置から再生を継続することが各ファイル単位に可能となる。
【００５８】
Ｆｏｌｄｅｒ　ｉｎｄｅｘ＃１はＩｎｄｅｘ　ｔｙｐｅがＬａｓｔ　Ｐｌａｙｂａｃｋ　Ｃｏｎｔｅｎｔｓである場合のインデックス情報であり、最後に再生したムービーファイルを管理する管理情報である。このときＦｏｌｄｅｒ　ｉｎｄｅｘ＃１には、Ｉｎｄｅｘ　ｔｙｐｅ、Ｔａｂｌｅの数、Ｌａｓｔ　Ｐｌａｙｂａｃｋ　Ｃｏｎｔｅｎｔｓ　ｔａｂｌｅが記録される。Ｌａｓｔ　Ｐｌａｙｂａｃｋ　Ｃｏｎｔｅｎｔｓ　ｔａｂｌｅには、Ｌａｓｔ　Ｐｌａｙｂａｃｋ　Ｃｏｎｔｅｎｔｓ　ｔａｂｌｅの管理情報の表１３ｙに示すように、最後に再生したムービーファイルのＩｎｄｅｘ　ｎｕｍｂｅｒが記録される。実施例ではテーブル数を５つに固定しているが、Ｔａｂｌｅ数を任意とする構成でも良い。
【００５９】
Ｆｏｌｄｅｒ　ｉｎｄｅｘ＃２はＩｎｄｅｘ　ｔｙｐｅがＬａｓｔ　Ｃｒｅａｔｅ　ｂｏｏｋｍａｒｋの場合のインデックス情報であり、Ｆｏｌｄｅｒ　ｉｎｄｅｘ情報の管理情報の表１３ｗに示すような管理情報が記録される。ＬａｓｔＣｒｅａｔｅ　ｂｏｏｋｍａｒｋ　ｔａｂｌｅにはＬａｓｔ　Ｃｒｅａｔｅ　ｂｏｏｋｍａｒｋ　ｔａｂｌｅの管理情報の表１３ｚに示すように最後に登録したブックマーク情報のＩｎｄｅｘ　ｎｕｍｂｅｒが格納される。実施例ではテーブル数を５つに固定しているが、Ｔａｂｌｅ数を任意とする構成でも良い。
【００６０】
データ管理情報内のブックマーク情報は、ブックマークを指定した時にインデックスファイルに記録されるため、データファイル内に格納しない構成としてもよい。ただし、その場合にはファイルをコピーした際に、ブックマーク情報も適切にコピーしなければならない。また、ＰＣなどの他のデバイスに記録した場合には、ブックマーク情報がデータファイル内に存在していなければならない。
【００６１】
インデックスファイルは、ＱｕｉｃｋＴｉｍｅやＡＳＦなどの汎用ファイルフォーマットであってもよく、インデックス情報が各トラックとして管理される構成であってもよい。
また、インデックス情報として代表画像やブックマーク画像を格納しているが、オリジナルのインデックス情報を参照する管理情報だけの仮想的なインデックス情報であってもよい。
また、上記構成による記録媒体は、光ディスク、メモリ、ハードディスクなどの書き込み可能な記録媒体、ＣＤやＤＶＤ−Ｖｉｄｅｏなどのような読み出し専用記録媒体、ＣＤ−ＲやＤＶＤ−Ｒなどのような一回のみ書き込み可能な記録媒体のいずれであってもよい。
【００６２】
図４は、インデックスファイルに登録されているフォルダ、ファイル、およびブックマークの関係を示した模式図である。
図４に示すように、インデックスファイルには、そのインデックスファイルを示すためのＲｏｏｔフォルダ４ａが存在する。このＲｏｏｔフォルダ４ａは記録媒体を管理するためのフォルダであり、表示しなくてもよい。
Ｒｏｏｔフォルダ４ａの下層には、動物フォルダ４ｂ、子供フォルダ４ｃ、および音楽フォルダ４ｄが存在する。さらに、動物フォルダ４ｂの下層には、動物１（４ｅ）、動物２（４ｆ）、および動物３（４ｇ）の３つのファイルが登録されている。
【００６３】
また、動物１（４ｅ）のファイル下層には、ｂｋｍｋ１（４ｐ）およびｂｋｍｋ２（４ｑ）の２つのブックマークが登録されている。動物３（４ｇ）の下層には、ｂｋｍｋ１（４ｒ）のブックマークが登録されている。子供フォルダ４ｃの下層には、子供１（４ｈ）、子供２（４ｉ）、子供３（４ｊ）、および静止画１（４ｋ）の４つのファイルが登録されている。さらに、子供２（４ｉ）のファイルの下層には、ｂｋｍｋ１（４ｓ）のブックマークが登録されている。
【００６４】
音楽フォルダ４ｄの下層には、ＰＯＰＳフォルダ４ｌと音楽のみフォルダ４ｍが登録されており、ＰＯＰＳフォルダ４ｌの下層には、音楽ビデオファイル４ｎが登録されており、音楽のみフォルダ４ｍの下層には、音楽ファイル４ｏが登録されている。さらに、音楽ビデオファイル４ｎの下層には、ｂｋｍｋ１（４ｔ）のブックマークが登録されている。
【００６５】
上記したディスク構成におけるインデックス表示画面の一例を、図２（１）および図２（２）を用いて説明する。
インデックス表示ウインドウ２Ａには、動物フォルダ２ｂ、子供フォルダ２ｃ、および音楽フォルダ２ｄが表示されている。ボタン２Ｃ、ボタン２Ｄは、フォルダやファイルの数が多くなった場合にスクロールを行うためのボタンであり、ボタン２Ｅ、ボタン２Ｆは、ブックマークの数が多くなった場合にスクロールを行うためのボタンである。
【００６６】
動物フォルダ２ｂを選択すると、ブックマーク表示ウインドウ２Ｂには、動物ファイルに格納されている動物１ファイル２ｅ、動物２ファイル２ｆ、および動物３ファイル２ｇの各ファイルにおけるブックマーク画像である動物１ｂｋｍｋ１ブックマーク２ｐ、動物１ｂｋｍｋ２ブックマーク２ｑ、および動物３ｂｋｍｋ１ブックマーク２ｒを表示する。
動物フォルダ２ｂを選択し、その下層のファイルを表示した画面が図２（２）であり、動物１ファイル２ｅ、動物２ファイル２ｆ、および動物３ファイル２ｇのインデックス画像が表示されている。
【００６７】
動物１ファイル２ｅを選択すると、ブックマーク表示ウインドウ２Ｂには、動物１ファイル２ｅにのみ登録されている動物１ｂｋｍｋ１ブックマーク画像２ｐ、動物２ｂｋｍｋ２ブックマーク画像２ｑを表示する。このように、各フォルダおよび各階層のフォルダやファイル毎に、当該フォルダやファイルに登録されているブックマークを一覧表示する。
【００６８】
ブックマークであるインデックス情報は、従来のインデックス情報と同じようにフォルダに登録することができるため、ブックマーク一覧フォルダを生成し、ユーザーが所望するブックマークをブックマークフォルダに格納する表示方法も考えられる。その表示例を図３に示す。
【００６９】
図３（１）は、ブックマークフォルダを用いた初期インデックス画面であり、図３（２）は、図３（１）に示すブックマークフォルダを選択した場合のインデックス画面である。
ブックマークフォルダ３ｘを選択すると、ブックマークフォルダ３ｘに格納されているファイルのブックマーク画像をすべて表示することができる。
【００７０】
図３（３）は、音楽フォルダを選択した場合のインデックス画面であり、図３（４）は、音楽フォルダ内のブックマークフォルダを選択した場合のインデックス画面である。このように、各フォルダの階層にブックマークフォルダが存在する構成であってもよい。また、これらのブックマークフォルダを表示させずに、アイコンなどのボタンを選択すると、インデックス画面の表示が行われるようにしてもよい。
【００７１】
また、上述した実施形態は、ブックマークを表示する方法であるが、ブックマークはファイルに定義されている最下層の情報と位置付けられるため、ブックマーク画像だけでなく、フォルダに登録されているファイルの代表画像を表示する構成としてもよい。フォルダに登録してあるブックマークやインデックスを、フォルダを選択することにより、選択したブックマークやインデックス画像が格納されている最下層のフォルダに移動することが可能となる。
【００７２】
例えば、図４において、動物フォルダ４ｂ、子供フォルダ４ｃ、および音楽フォルダ４ｄが表示されている場合に、子供フォルダ４ｃを選択するとｂｋｍｋ１（４ｓ）が表示される。ｂｋｍｋ１（４ｓ）を選択して最下層フォルダへの移動処理を行うと、子供フォルダ４ｃへ移動することができ、子供フォルダ４ｃ内の子供１ファイル４ｈ、子供２ファイル４ｉ、子供３ファイル４ｊ、静止画１４ｋのインデックス画像が表示できる。
【００７３】
次に、本発明に係るインデックス管理方法、インデックス表示方法における処理手順を説明する。
図５〜図８は、本発明に係るインデックス管理方法、インデックス表示方法における処理手順を示すフローチャートである。
【００７４】
まず、図５を参照して、インデックスファイルへブックマークを登録する処理手順を説明する。
ユーザーがインデックス画面からブックマークを指定したい動画ファイルを選択すると、動画ファイルが再生される。そして、ブックマークを登録したい画像で一時停止し、ブックマークがインデックスファイルに登録される。
【００７５】
この時点で、図５に示すように、ブックマークを登録したい動画ファイルとブックマーク位置が指定されると（ステップ１）、ユーザーにより選択され再生された動画ファイルから、その動画ファイルの管理情報を取得し（ステップ２）、指定されたブックマーク位置に基づいて、ブックマークの再生開始からのオフセット時間または再生するデータの先頭からのオフセットバイト数を取得し（ステップ３）、取得した時間またはバイト数に対応した動画ファイルのフレーム画像を取得する（ステップ４）。
【００７６】
続いて、サムネイル画像の生成が行われる（ステップ５）。この処理では、動画ファイルのフレーム画像が例えば７０４×４８０ピクセルのビットマップ画像であった場合に、１６０×１２０ピクセルに縮小された画像への変換、およびビットマップ画像からＪＰＥＧ画像やＴＩＦＦ画像などの圧縮データへの変換を行う。
続いて、インデックスファイルに生成したブックマーク位置のサムネイル画像を含むブックマークの管理情報を記録するために、記録媒体からインデックスファイルを読み込み（ステップ６）、読み込んだインデックスファイルから必要な管理情報を取得する（ステップ７）。
【００７７】
続いて、インデックス管理情報からカレントフォルダを取得し（ステップ８）、必要があればそのフォルダに移動する。続いて、カレントフォルダに新規インデックス管理情報を追加し（ステップ９）、縮小された圧縮画像をブックマークのサムネイルとして管理情報に格納する（ステップ１０）。
続いて、登録したブックマークが格納されているインデックスファイルの書き込みを行い（ステップ１１）、実際のメディアに記録し（ステップ１２）、ブックマークがインデックスファイルに記録される（ステップ１３）。
ここでは、ブックマークの登録をユーザーが行う場合について説明したが、ブックマークの登録は自動的に登録する方法であってもよい。例えば、画像を撮影中に任意の一定間隔ごとの画像をブックマークとして自動的に登録する方法がある。また、自動的に登録した複数のブックマークはインデックス画面表示において通常のブックマークのように個々に表示する方法の他、複数のブックマーク画像を同一箇所で連続して表示する動画サムネイルとしても使用することができる。
【００７８】
次に、図６を参照して、インデックスファイルに基づきブックマーク画像をインデックス画面に表示する処理手順を説明する。
図６に示すように、ユーザーが、一覧表示されているインデックス画面から表示したいブックマークが格納されているファイルまたはフォルダを指定する（ステップ２１）。
続いて、インデックスファイルをリードし（ステップ２２）、インデックスファイルに格納されているインデックス管理情報を取得し（ステップ２３）、インデックス管理情報に記録されているブックマーク管理情報を取得する（ステップ２４）。
【００７９】
続いて、ブックマークの数を取得し（ステップ２５）、各ブックマークを検索する（ステップ２６）。ここで、サムネイルが存在するか否かの判別を行い（ステップ２７）、サムネイルが存在しない場合には、次のブックマークを参照する。一方、サムネイルが存在する場合には、サムネイル画像を取得し（ステップ２８）、ブックマークのサムネイル画像を表示する（ステップ２９）。そして、各ブックマークにおいて上記処理（ステップ２６〜ステップ３０）を行うことで、登録されているブックマークの数だけブックマーク画像を表示することができる。
【００８０】
次に、図７を参照して、記録した動画ファイルにブックマークを付加した際、動画ファイル管理情報にブックマーク管理情報を記録する処理手順を説明する。ユーザーがインデックス画面からブックマークを指定したい動画ファイルを選択すると、動画ファイルが再生される。そして、ブックマークを登録したい画像で一時停止し、ブックマークがインデックスファイルに登録される。
【００８１】
この時点で、図７に示すように、ブックマークを登録したい動画ファイルとブックマーク位置が指定され（ステップ４１）、ユーザーにより選択され再生された動画ファイルから、その動画ファイルの管理情報を取得し（ステップ４２）、指定されたブックマーク位置に基づいて、ブックマークの再生開始からのオフセット時間または再生するデータの先頭からのオフセットバイト数を取得し（ステップ４３）、取得した時間またはバイト数に対応した動画ファイルのフレーム画像を取得する（ステップ４４）。
【００８２】
続いて、サムネイル画像の生成が行われる（ステップ４５）。この処理では、動画ファイルのフレーム画像が例えば７０４×４８０ピクセルのビットマップ画像であった場合に、１６０×１２０ピクセルに縮小された画像への変換、およびビットマップ画像からＪＰＥＧ画像やＴＩＦＦ画像などの圧縮データへの変換を行う。
【００８３】
続いて、動画ファイルにブックマークを付加するために、動画ファイルを読み出し、動画ファイルの管理情報を取得し、動画ファイルの管理情報からトラック数を取得し（ステップ４６）、トラック数分の処理を行う（ステップ４７）。
続いて、トラックの管理情報を取得し（ステップ４８）、サムネイルトラックか否かを判別する（ステップ４９）。ここで、サムネイルトラックの場合には、サムネイルの登録処理を行い（ステップ５０）、サムネイルトラックでない場合には、次のトラックを検索する（ステップ４７〜ステップ５１）。
【００８４】
続いて、サムネイルトラックが存在しているか否かを判別し（ステップ５２）、サムネイルトラックが存在しない場合には、サムネイルトラックを新規に生成して（ステップ５３）、サムネイルを登録する（ステップ５４）。動画ファイルの管理情報を更新し（ステップ５５）、全てのトラックに対し処理が終了した後に、メディアへの記録を行う（ステップ５６）ことにより、動画ファイルの管理情報にブックマーク情報が記録される。
【００８５】
次に、図８を参照して、動画ファイルのブックマーク管理情報に基づきブックマークサムネイル画像をインデックス画面に表示する処理手順を説明する。
図８に示すように、ユーザーが、一覧表示されているインデックス画面から表示したいブックマークが格納されているファイルを指定すると（ステップ６１）、動画ファイルをリードして、動画ファイルに格納されている管理情報を取得し（ステップ６２）、管理情報からトラック数を取得し（ステップ６３）、各トラックに対して、順次、処理を行う（ステップ６４）。
【００８６】
すなわち、各トラックに対して、管理情報からトラックの情報を取得し（ステップ６５）、サムネイルトラックか否かを判別する（ステップ６６）。ここで、サムネイルトラックでない場合には、次のトラックを検索する。一方、サムネイルトラックの場合には、そのトラックに登録されているブックマークの数を取得し（ステップ６７）ブックマークの数だけ、順次、処理を行う（ステップ６８）。
すなわち、サムネイルが存在するか否かの判別を行い（ステップ６９）、サムネイルが存在する場合には、サムネイル画像を取得し（ステップ７０）、ブックマークのサムネイル画像を表示する（ステップ７１）。一方、サムネイルが存在しない場合には、次のブックマークを参照する（ステップ６８〜ステップ７２）。各ブックマークに対して、上述した処理（ステップ６４〜ステップ７３）を行うことにより、登録されているブックマークの数だけブックマーク画像を表示することができる。
【００８７】
次に、図９を参照して、本発明の実施形態に係る記録再生装置を説明する。
【００８８】
本発明の実施形態に係る記録再生装置は、図９に示すような構成となっておりオーディオ信号がオーディオ入力部９ａにより入力され、ビデオ信号がビデオ入力部９ｂにより入力される。各信号はアナログまたはデジタル信号であり、アナログ信号の場合にはデジタル信号への変換を行う。
【００８９】
そして、符号化・復号処理部９ｃにより、ＭＰＥＧ２などの符号化されたビデオおよびオーディオデータに変換する。圧縮する形式は、ＭＰＥＧ２のほかにＭＰＥＧ１やＭＰＥＧ４であってもよいし、ビデオデータのみの場合には、ＪＰＥＧ、ＪＰＥＧ２０００であってもよい。
【００９０】
また、誤り訂正処理部９ｄにより誤り訂正信号が付加され、変・復調部９ｅにより変調されて、記録媒体９ｆに対してビデオ、オーディオデータが記録される。記録媒体がディスクメディアの場合には、制御マイコン９ｇによりサーボ処理部９ｈを制御して記録を行う。なお、制御マイコン９ｇは、システムマイコン９ｉにより制御されている。
【００９１】
ユーザーからの指示により、記録されたデータを再生または表示する場合には、ユーザーからの指示が入力部９ｊにより処理され、システムマイコン９ｉにより入力の指示を処理する。システムマイコン９ｉは、制御マイコン９ｇに再生の指示を行い、制御マイコン９ｇによりサーボ処理部９ｈが制御され、記録媒体９ｆからデータの読み出しを行う。
【００９２】
読み出されたデータは、変・復調部９ｅを経て復調され、誤り訂正処理部９ｄにより誤り訂正を行い、符号化・復号処理部９ｃにより復号される。復号されたデータのうちのオーディオデータは、オーディオ出力部９ｎによりオーディオ信号に変換され出力される。また、復号されたデータのうちのビデオデータは、インデックス画面であるＯＳＤとの合成を行うため、ビデオ合成部９ｍによりビデオデータとＯＳＤデータの合成処理あるいは切り換え処理を行い、ビデオ出力部９ｏによりビデオ信号として出力される。
【００９３】
インデックス画面は、システムマイコン９ｉにより処理され、インデックス情報やインデックス画像（サムネイル）データをメモリ９ｋに格納し、ＯＳＤ処理部９ｌによりビデオ表示画面への変換を行った後、復号されたビデオデータと合成され、ビデオ出力部９ｏによりビデオ信号として出力される。
【００９４】
ビデオ合成部９ｍは、記録したビデオデータとインデックス画面を同時に表示する場合に、ビデオデータとインデックス画面とを合成するものであるが、どちらか一方の画像を出力することもできる。すなわち、ユーザーの指示によりシステムマイコン９ｉが切り換え制御を行うことにより、指定された画面を出力することが可能となる。
【００９５】
ブックマーク情報はインデックスファイルとデータファイルのどちらにも記録する方法や、インデックスファイルにブックマーク情報をすべて記録し、データファイルには、ブックマーク情報を記録しない構造、また、それらのデータ構造の組み合わせを識別する管理情報を設ける構成としてもよい。以下、各データ構造について詳細に説明する。
【００９６】
これまでは、インデックスファイルにデータファイルに記録したブックマーク位置情報を格納する場合の実施例であったが、ユーザーがブックマークを指定する場合にはブックマークの位置情報はデータファイルとインデックスファイルの両方に記録してもよい。
【００９７】
図１４は、ブックマーク位置情報をデータファイルとインデックスファイルに記録した場合のデータ構造を示す模式図である。論理管理情報１ａからデータ＃２管理情報までは図１と同じ構成であるため説明は省略する。
【００９８】
インデックス情報＃１（１ｌ）は、ファイル名やファイルの属性情報を格納するためのヘッダ情報１ｏと、データ＃１（１ｅ）の代表データである代表画像＃１（１ｐ）により構成されている。この代表データは、記録されたデータが画像の場合にはその代表画像を含んだ管理情報であり、記録された画像が音声の場合にはそのイントロ音声を含んだ管理情報である。また、代表データは、記録されたファイルの日時や名前などのタイトルを記録するテキストデータを含んだ管理情報の場合もある。
【００９９】
インデックス情報＃２（１ｍ）には、ヘッダ情報１ｑ、ブックマーク＃１位置情報１ｒ、およびブックマーク＃１画像１ｓ、ブックマーク＃２位置情報１ｒ２、およびブックマーク＃２画像１ｓ２が、ブックマークを指定した時に格納される。動画、静止画、音声などのデータは、データを再生するための管理情報であるデータ管理情報とともにデータファイルに記録される。
【０１００】
データ＃２管理情報１ｆには、データ管理情報に記録される管理情報を参照するためのヘッダ情報１ｔ、ブックマーク画像情報のデータの種類やデータ作成日時などの属性情報１ｕ、ブックマーク位置情報およびブックマーク画像が、指定したブックマーク毎に格納される。ブックマーク＃１位置情報１ｖは、データ＃２（１ｇ）内のブックマーク＃１位置１ｚ１に相当する位置情報が格納される。位置情報は、データ＃２（１ｇ）の先頭からのオフセットバイト数、またはデータ＃２（１ｇ）を原点とした再生時間が格納される。ブックマーク＃１画像１ｗは、ブックマーク＃１位置情報１ｖに格納されている位置情報に相当するデータ＃２（１ｇ）の１フレーム分の画像データが縮小画像として格納される。同様に、ブックマーク＃２位置情報１ｘは、データ＃２（１ｇ）内のブックマーク＃２位置１ｚ２に相当する位置情報が格納される。位置情報は、データ＃２（１ｇ）の先頭からのオフセットバイト数、またはデータ＃２（１ｇ）を原点とした再生時間が格納される。ブックマーク＃２画像１ｙは、ブックマーク＃２位置情報１ｘに格納されている位置情報に相当するデータ＃２（１ｇ）の１フレーム分の画像データが縮小画像として格納される。ブックマーク＃１位置情報１ｒは、データファイル内のデータ＃２（１ｇ）のブックマーク位置１ｚ１であり、データ＃２の先頭からのオフセットバイト数、または再生した場合の再生時間を記録する。
【０１０１】
上記のように、データファイルおよびインデックスファイルにブックマーク位置情報を格納した構成において、各ブックマーク位置情報は同じ時間を示すブックマーク位置情報である場合と、異なる時間を示すブックマーク位置情報の２つの管理方法がある。
【０１０２】
図１５は、各ブックマーク位置情報は同じ時間を示すブックマーク位置情報である場合のフローチャートであり、本発明に係るインデックス管理方法における処理手順を説明する。ユーザーがインデックス画面からブックマークを指定したい動画ファイルを選択すると、動画ファイルが再生される。そして、ブックマークを登録したい画像で一時停止し、ブックマークがインデックスファイルに登録される。この時点で、図１５に示すように、ブックマークを登録したい動画ファイルを指定すると（ステップ８１）、ユーザーにより選択され再生された動画ファイルから、その動画ファイルの管理情報を取得（ステップ８２）する。動画ファイルがファイルの最後（ステップ８３）であった場合は一時停止が無かったものとみなし処理を終了する。ユーザーからのブックマークを検出し（ステップ８４）、ブックマーク指定がない場合は再度ファイルの管理情報を所得する。ブックマーク指定があった場合には、ブックマークの再生開始からのオフセット時間または再生するデータの先頭からのオフセットバイト数を取得し（ステップ８５）、取得した時間またはバイト数に対応した動画ファイルのフレーム画像を取得する（ステップ８６）。
【０１０３】
続いて、サムネイル画像の生成が行われる（ステップ８７）。この処理では、動画ファイルのフレーム画像が例えば７０４×４８０ピクセルのビットマップ画像であった場合に、１６０×１２０ピクセルに縮小された画像への変換、およびビットマップ画像からＪＰＥＧ画像やＴＩＦＦ画像などの圧縮データへの変換を行う。インデックスファイルにサムネイル格納用のトラックがあるかを検索し（ステップ８８）、サムネイルを格納するトラックがない場合はサムネイルトラックを生成（ステップ８９）し、生成したサムネイルをサムネイルトラックに登録する（ステップ９０）。動画ファイルの管理情報を更新し（ステップ９１）、全てのトラックに対し処理が終了した後に、メディアへの記録を行う（ステップ９２）ことにより、動画ファイルの管理情報にブックマーク情報が記録される。続いて、インデックスファイルに生成したブックマーク位置のサムネイル画像を含むブックマークの管理情報を記録するために、記録媒体からインデックスファイルを読み込み（ステップ９３）、読み込んだインデックスファイルから必要な管理情報を取得する（ステップ９４）。
【０１０４】
続いて、インデックス管理情報からカレントフォルダを取得し（ステップ９５）、必要があればそのフォルダに移動する。続いて、カレントフォルダに新規インデックス管理情報を追加し（ステップ９７）、縮小された圧縮画像をブックマークのサムネイルとして管理情報に格納する（ステップ９８）。続いて、登録したブックマークが格納されているインデックスファイルの書き込みを行い（ステップ９９）、実際のメディアに記録し（ステップ１００）、ブックマークがインデックスファイルに記録される。
【０１０５】
各ブックマーク位置情報が異なる時間を示すブックマーク位置情報である場合の管理方法は、すでに説明済みである図５から図８に記載したフローチャートにより実現できる。動画ファイルには機器が特徴ポイントをブックマーク情報として自動的に付加し、インデックスファイルには、ユーザーが指定したブックマーク情報を付加するといった使い方であり、各ブックマーク情報は独立した時間情報として管理することを意味している。
【０１０６】
この他に、ブックマーク位置情報をインデックスファイルにのみ格納してもよい。インデックスファイルを書き換え型記録媒体に記録し、撮影した動画ファイルを追記型記録媒体に記録する場合などに有効となる。また動画ファイルが書き込み禁止であったり、動画ファイルがネットワークごしに存在する場合にも有効である。インデックスファイルおよび撮影した動画ファイルを追記型記録媒体に格納することも考えられ、この場合のデータ構造を示す模式図を図１６に示す。論理管理情報１ａからデータ＃２管理情報までは図１と同じ構成であるため説明は省略する。
【０１０７】
インデックス情報＃１（１ｌ）は、ファイル名やファイルの属性情報を格納するためのヘッダ情報１ｏと、データ＃１（１ｅ）の代表データである代表画像＃１（１ｐ）により構成されている。インデックス情報＃２（１ｍ）は、ファイル名やファイルの属性情報を格納するためのヘッダ情報１ｏ２と、データ＃２（１ｇ）の代表データである代表画像＃２（１ｐ２）により構成されている。この代表データは、記録されたデータが画像の場合にはその代表画像を含んだ管理情報であり、記録された画像が音声の場合にはそのイントロ音声を含んだ管理情報である、また、代表データは、記録されたファイルの日時や名前などのタイトルを記録するテキストデータを含んだ管理情報の場合もある。
【０１０８】
インデックス情報＃２（１ｍ）には、ヘッダ情報１ｑ、ブックマーク＃１位置情報１ｒ、およびブックマーク＃１画像１ｓが、ブックマークを指定した時に格納される。動画、静止画、音声などのデータは、データを再生するための管理情報であるデータ管理情報とともにデータファイルに記録される。
【０１０９】
ブックマークを指定した場合、データ＃２（１ｇ）のムービーファイルにブックマーク情報を追加するには、ムービーファイル自体を複製することになるため、ブックマークを追加するだけディスク容量を消費することになる。よって、ディスク容量を極力消費しないでブックマークを付加するには、インデックスファイルにブックマーク情報を付加することが考えられる。よってインデックスファイル＃２（１ｃ´）のみを追記するだけで実現できる。インデックスファイル＃２（１ｃ´）は、インデックス管理情報１ｋ２と、複数のインデックス情報＃１（１ｌ２）、インデックス情報＃２（１ｍ２）、およびインデックス情報＃３（１ｍ３）が記録されている。インデックス情報＃１（１ｌ２）はインデックス情報＃１（１ｌ）のコピーであり、インデックス情報＃２（１ｍ２）はインデックス情報＃２（１ｍ）のコピーである。インデックス情報＃３（１ｍ３）は新規に追加したブックマークのインデックス情報であり、ヘッダ情報１ｑ、ブックマーク＃１位置情報１ｒ、およびブックマーク＃１画像１ｓが、ブックマークを指定した時に格納される。動画、静止画、音声などのデータは、データを再生するための管理情報であるデータ管理情報とともにデータファイルに記録される。ブックマーク＃１位置情報１ｒは、データファイル内のデータ＃２（１ｇ）のブックマーク位置１ｚ１であり、データ＃２の先頭からのオフセットバイト数、または再生した場合の再生時間を記録する。
【０１１０】
次に、ブックマークの位置情報に対応したブックマーク画像の表示例を以下に記載する。図１７は、ブックマーク画像の表示例であり、（１）が画像全体を表示する方法、（２）が画像の一部分を表示する方法を示す。
【０１１１】
図１７において、撮影した動画ファイル１７Ａは１フレームごとの静止画データが連続しているデータであることを表し、実際のデータ形式は圧縮されたＭＰＥＧ２ストリーム、１フレームのＪＰＥＧデータや非圧縮のデータなどデータ形式を特定するものではない。ユーザーの指定により指定されたブックマーク位置に相当する１フレーム画像１７Ｂを取得し、そのデータを縮小しブックマーク表示領域１７Ｄにブックマーク画像１７Ｅとして表示する。例えば画像サイズが７０４ピクセルｘ４８０ピクセルであった場合、１６０ピクセルｘ１２０ピクセルに縮小して表示する。縮小したデータは非圧縮データやＪＰＥＧデータ、ＪＰＥＧ２０００データ、ＴＩＦＦデータなどの静止画を扱うデータ形式やＧＩＦ、ＰＮＧなどのグラフィックデータを扱うデータ形式などデータ形式は特定するものではない。（１）は表示するデータが１フレームデータ全体を表示する方法であり、画面全体を縮小する。（２）は１フレームに相当するデータの１部分を表示する方法であり、１フレームのデータの中でユーザーがブックマークとして登録したい部分１７Ｃを選択し、圧縮または非圧縮データとして格納する。選択した画像サイズがブックマーク画像のサイズと同じ場合、例えば１６０ピクセルｘ１２０ピクセルなどの場合は縮小処理は行う必要がない。１フレームの部分的なデータを表示する方法は、例えば長方画素で記録されたデータを正方画素に変換する場合に同じアスペクト比となるような場合にも有効となる。（１）、（２）ともに、サムネイルデータは、ムービーファイルの１フレームと同じ画質でなくてもよく、データサイズを低減するために、低解像度の画質に変換してもよい。
【０１１２】
このほかに、ブックマーク情報は編集ポイントとして利用することが可能であり、インデックス画面でブックマークを指定することで編集する際のＩＮ点、ＯＵＴ点として利用することができる。
【０１１３】
また、これまでは、インデックスファイルに登録するブックマーク画像はインデックスファイル内に格納する実施例を記載したが、ブックマーク画像はインデックスファイルとは別ファイルとして記録してもよく、インデックス画像やブックマーク画像を１つのファイルに混在する構成としてもよい。
【０１１４】
【発明の効果】
以上説明したように、本発明に係るインデックス管理方法、インデックス表示方法、記録再生装置、および記録媒体によれば、ブックマーク情報をインデックス情報としてインデックス管理情報に記録するため、インデックス管理情報を参照するだけで所望のブックマーク表示を実現することができ、表示速度を向上することができる。
【０１１５】
ムービーファイルに記録したブックマーク情報のうち特定のブックマーク情報のみをインデックス情報に持つため、例えば、最後に登録した複数個のブックマーク情報だけをインデックス情報としてもつことも可能となる。また、ムービーファイルとインデックス情報に同じブックマーク情報を持つ場合は、どちらかのファイルが破壊されて読み出せなくなった場合でも、ブックマーク情報を別のファイルから取得し、再登録することができる。ムービーファイルをパソコンへ転送する場合でも、ブックマーク情報がどちらのファイルにも記録されているため、パソコンにインデックス情報やムービーファイルを転送する場合でもファイルを移動するだけで済むことになる。ムービーファイルとインデックス情報に異なる意味のブックマーク情報を持つ場合は、インデックス情報のブックマーク情報がユーザーの指定したブックマーク情報とし、ムービーファイル内のブックマーク情報はシーンの特徴情報を機器が自動的に設定するようなことが可能となり、各ブックマークに別々の意味を持たせることが可能となる。インデックス情報にのみブックマーク情報を記録するデータ構造は、追記型記録媒体に記録する場合に有効となる。インデックスファイルはデータサイズがムービーファイルに比べると遥かに小さいため、ブックマーク情報をインデックスファイルに追加し、記録媒体にインデックスファイルを記録することが可能となり、ディスク容量をなるべく消費しないでブックマーク情報を追加可能となる。
【０１１６】
また、ブックマークであるインデックス情報を、従来のインデックス情報と同じようにフォルダに登録することができるため、ブックマーク一覧フォルダや、ユーザーが所望するブックマークをフォルダに格納することが可能となり、ユーザーの操作負担を軽減することができる。
【０１１７】
また、フォルダにより階層的に分類されたブックマークおよびインデックスを表示する場合には、フォルダを選択するだけで、そのフォルダに分類したブックマークやインデックスを一覧表示することができ、ユーザーが所望するブックマークやインデックスを簡単に探し出すことができる。そして、探し出したブックマークやインデックスを選択し、そのブックマークおよびインデックスが格納されているフォルダに移動することで、関連するブックマークおよびインデックスを探し出して再生したり、同一フォルダに録画することが可能となる。
【図面の簡単な説明】
【図１】本発明に係る記録媒体のデータ構造を示す模式図である。
【図２】（１）は初期インデックス画面の模式図、（２）は動物フォルダを選択した場合のインデックス画面の模式図である。
【図３】（１）はブックマークフォルダを用いた初期インデックス画面の模式図、（２）はブックマークフォルダを選択した場合のインデックス画面の模式図、（３）は音楽フォルダを選択した場合のインデックス画面の模式図、（４）は音楽フォルダ内のブックマークフォルダを選択した場合のインデックス画面の模式図である。
【図４】インデックスファイルに登録されているフォルダ、ファイル、ブックマークの関係を説明するための模式図である。
【図５】インデックスファイルへのブックマークの登録手順を示すフローチャートである。
【図６】インデックスファイルによるブックマークの表示手順を示すフローチャートである。
【図７】動画ファイルのブックマーク管理情報への登録手順を示すフローチャートである。
【図８】従来の動画ファイルのブックマーク管理情報によるブックマークの表示手順を示すフローチャートである。
【図９】本発明に係る記録再生装置の構成を示すブロック図である。
【図１０】従来の記録媒体のデータ構造を示す模式図である。
【図１１】（１）は従来の初期インデックス画面の模式図、（２）は動物１ファイルを選択した場合の従来のブックマークの表示を示す模式図である。
【図１２】（１）は従来のフォルダによる初期インデックス画面の模式図、（２）は動物フォルダ内の動物１ファイルを選択した場合の従来のブックマークの表示を示す模式図である。
【図１３】データファイルに記録したブックマーク情報の一部をインデックスファイルに格納する場合のデータ構造を示す模式図である。
【図１４】ブックマーク位置情報をデータファイルとインデックスファイルに記録した場合のデータ構造を示す模式図である。
【図１５】各ブックマーク位置情報は同じ時間を示すブックマーク位置情報である場合のフローチャートである。
【図１６】インデックスファイルおよび撮影した動画ファイルを追記型記録媒体に記録した場合のデータ構造を示す模式図である。
【図１７】（１）ブックマークの位置情報に対応したブックマーク画像が画像全体を表示する場合のブックマーク画面の模式図、（２）はブックマークの位置情報に対応したブックマーク画像が画像の部分的な範囲を表示する場合のブックマーク画面の模式図である。
【符号の説明】
１ａ，１０ａ　論理管理情報
１ｂ，１０ｂ　データ領域
１ｂ１，１０ｂ１　ファイル＃１
１ｂ２，１０ｂ２　ファイル＃２
１ｂ３，１０ｂ３　ファイル＃３
１ｂ４，１０ｂ４　ファイル＃ｎ
１ｃ，１０ｃ　インデックスファイル（インデックスファイル＃１）
１ｃ´　インデックスファイル＃２
１ｄ，１０ｄ　データ＃１管理情報
１ｅ，１０ｅ　データ＃１
１ｆ，１０ｆ　データ＃２管理情報
１ｇ，１０ｇ　データ＃２
１ｈ，１０ｈ　データ＃ｎ管理情報
１ｉ，１０ｉ　データ＃ｎ
１ｊ，１０ｊ　空き領域
１ｋ，１０ｋ　インデックス管理情報
１ｋ２　インデックス管理情報
１ｌ，１０ｌ　インデックス情報＃１
１ｌ２　インデックス情報＃１
１ｍ，１０ｍ　インデックス情報＃２
１ｍ２　インデックス情報＃２
１ｍ３　インデックス情報＃３
１ｎ，１０ｎ　インデックス情報＃ｎ
１ｏ，１０ｏ　ヘッダ情報
１ｏ２　ヘッダ情報
１ｐ　代表画像＃１
１ｐ２　代表画像＃２
１ｑ　ヘッダ情報
１ｒ　ブックマーク＃１位置情報
１ｒ２　ブックマーク＃２位置情報
１ｓ　ブックマーク＃１画像
１ｓ２　ブックマーク＃２画像
１ｔ，１０ｔ　ヘッダ情報
１ｕ，１０ｕ　属性情報
１ｖ，１０ｖ　ブックマーク＃１位置情報
１ｗ，１０ｗ　ブックマーク＃１画像
１ｘ，１０ｘ　ブックマーク＃２位置情報
１ｙ，１０ｙ　ブックマーク＃２画像
１ｚ１，１０ｚ１　ブックマーク＃１位置
１ｚ２，１０ｚ２　ブックマーク＃２位置
２Ａ，３Ａ，１１Ａ，１２Ａ　インデックス表示ウインドウ
２Ｂ，１１Ｂ，１２Ｂ　ブックマーク表示ウインドウ
２Ｃ，１１Ｃ，１２Ｃ　インデックスの上スクロールボタン
２Ｄ，１１Ｄ，１２Ｄ　インデックスの下スクロールボタン
２Ｅ，１１Ｅ，１２Ｅ　ブックマークの左スクロールボタン
２Ｆ，１１Ｆ，１２Ｆ　ブックマークの右スクロールボタン
２ｂ，３ｂ，４ｂ，１２ｂ　動物フォルダ
２ｃ，３ｃ，４ｃ，１２ｃ　子供フォルダ
２ｄ，３ｄ，４ｄ，１２ｄ　音楽フォルダ
２ｅ，３ｅ，４ｅ，１１ｅ，１２ｅ　動物１ファイル
２ｆ，４ｆ，１１ｆ，１２ｆ　動物２ファイル
２ｇ，４ｇ，１１ｇ，１２ｇ　動物３ファイル
２ｐ，３ｐ，４ｐ，１１ｐ，１２ｐ　動物１ファイルのブックマーク１
２ｑ，３ｑ，４ｑ，１１ｑ，１２ｑ　動物１ファイルのブックマーク２
２ｒ，３ｒ，４ｒ　動物３ファイルのブックマーク１
３ｌ　ＰＯＰＳフォルダ
３ｍ　音楽のみフォルダ
３ｘ，３ｙ　Ｂｏｏｋｍａｒｋフォルダ
３ｓ，４ｓ　子供２ファイルのブックマーク１
３ｔ，４ｔ　音楽ビデオファイルのブックマーク１
４ａ　Ｒｏｏｔフォルダ
４ｈ，１１ｈ　子供１ファイル
４ｉ，１１ｉ　子供２ファイル
４ｊ，１１ｊ　子供３ファイル
４ｋ，１１ｋ　静止画１
４ｌ　ＰＯＰＳフォルダ
４ｍ　音楽のみフォルダ
４ｎ　音楽ビデオファイル
４ｏ　音楽ファイル
９ａ　オーディオ入力部
９ｂ　ビデオ入力部
９ｃ　符号化・復号処理部
９ｄ　誤り訂正処理部
９ｅ　変・復調部
９ｆ　記録媒体
９ｇ　制御マイコン
９ｈ　サーボ処理部
９ｉ　システムマイコン
９ｊ　入力部
９ｋ　メモリ
９ｌ　ＯＳＤ処理部
９ｍ　ビデオ合成部
９ｎ　オーディオ出力部
９ｏ　ビデオ出力部
１０ｍ１　サムネイル
１０ｍ２　タイトル
１０ｍ３　イントロ
１１ｎ　音楽１ファイル
１１ｏ　音楽２ファイル
１３ａ　ｍｏｏｖ情報
１３ｂ　ｍｄａｔ情報
１３ｃ　ヘッダ情報
１３ｄ　Ｉｎｄｅｘ　Ｔａｂｌｅ情報
１３ｅ　Ｉｎｄｅｘ＃１画像
１３ｆ　Ｉｎｄｅｘ＃２画像
１３ｇ　Ｉｎｄｅｘ＃ｎ画像
１３ｈ　ｂｏｏｋｍａｒｋ　ｉｎｄｅｘ画像＃１画像
１３ｉ　ｂｏｏｋｍａｒｋ　ｉｎｄｅｘ画像＃２画像
１３ｊ　ｂｏｏｋｍａｒｋ　ｉｎｄｅｘ画像＃ｎ画像
１３ｋ　Ｉｎｄｅｘ＃１
１３ｌ　Ｉｎｄｅｘ＃２
１３ｍ　Ｉｎｄｅｘ＃ｎ
１３ｎ　ｂｏｏｋｍａｒｋ　ｉｎｄｅｘ＃１
１３ｏ　ｂｏｏｋｍａｒｋ　ｉｎｄｅｘ＃２
１３ｐ　ｂｏｏｋｍａｒｋ　ｉｎｄｅｘ＃ｎ
１３ｑ　Ｆｏｌｄｅｒ　ｉｎｄｅｘ＃１
１３ｒ　Ｆｏｌｄｅｒ　ｉｎｄｅｘ＃２
１３ｓ　ヘッダ情報
１３ｔ　Ｉｎｄｅｘ　Ｔａｂｌｅ情報
１３ｕ　Ｉｎｄｅｘ情報
１３ｖ　Ｆｏｌｄｅｒ　ｉｎｄｅｘ情報
１３ｗ　Ｆｏｌｄｅｒ　ｉｎｄｅｘ情報
１３ｘ　Ｉｎｄｅｘ　ｔｙｐｅ
１３ｙ　Ｌａｓｔ　Ｐｌａｙｂａｃｋ　Ｃｏｎｔｅｎｔｓ　ｔａｂｌｅ
１３ｚ　Ｌａｓｔ　Ｃｒｅａｔｅ　ｂｏｏｋｍａｒｋ　ｔａｂｌｅ
１７Ａ　動画ファイル
１７Ｂ　１フレーム画像
１７Ｄ　ブックマーク表示領域
１７Ｅ　ブックマーク画像
【図１】
2004005344.tif 000003
【図２】
2004005344.tif 000004
【図３】
2004005344.tif 000005
【図４】
2004005344.tif 000006
【図５】
2004005344.tif 000007
【図６】
2004005344.tif 000008
【図７】
2004005344.tif 000009
【図８】
2004005344.tif 000010
【図９】
2004005344.tif 000011
【図１０】
2004005344.tif 000012
【図１１】
2004005344.tif 000013
【図１２】
2004005344.tif 000014
【図１３】
2004005344.tif 000015
【図１４】
2004005344.tif 000016
【図１５】
2004005344.tif 000017
【図１６】
2004005344.tif 000018
【図１７】
2004005344.tif 000019